(57)【特許請求の範囲】
【請求項１】
天板と、該天板を支持する少なくとも左右一対の脚体とからなるテーブルにおいて、前記天板を支持するためのテーブルのフレーム構造であって、
前記天板は、前記脚体に設けられた前後方向を向く支持フレームによって支持され、該支持フレームは、独立した前後の支持杆から構成され、該両支持杆を前後方向に対向させた際に、前記前方の支持杆は左右方向の一方側から後方に延びる突起を有し、前記後方の支持杆は左右方向の他方側から前方に延びる突起を有し、前記両突起を互いに相対回動不能に取り付けることによって、前記両支持杆を位置決めした状態で、前記脚体に固着することを特徴とするテーブルのフレーム構造。
【請求項２】
前記両突起のいずれか一方の突起に少なくとも上下に２つの左右方向に向くピンを設けるとともに、他方の突起に嵌合孔を形成し、前記ピンと嵌合孔を嵌合し、前記両突起を互いに相対回動不能に取り付けた請求項１に記載のテーブルのフレーム構造。
【請求項３】
前記突起は、前記前方の支持杆の後端部と、前記後方の支持杆の前端部とから一体に突出したものである請求項１または２に記載のテーブルのフレーム構造。
【請求項４】
前記各突起の先端面は、対向する相手側の支持杆の先端面と当接した状態で位置決めされ前記脚体へ固着される請求項１乃至３のいずれかに記載のテーブルのフレーム構造。
【請求項５】
前記脚体は、ベース脚と、該ベース脚から上方に延出した支柱とからなり、前記両支持杆の各々を、前記支柱に上方から螺着した請求項１乃至４のいずれかに記載のテーブルのフレーム構造。
【請求項６】
前記各支持杆が前記支柱に螺着されるためのネジ用貫通孔を、前記各支持杆の左右幅方向の範囲内と、左右側端部から外方に突設した突出部との２カ所に少なくとも穿設した請求項５に記載のテーブルのフレーム構造。
【発明の詳細な説明】
【技術分野】
【０００１】
本発明は、天板と、該天板を支持する少なくとも左右一対の脚体とからなるテーブルにおいて、前記天板を支持するためのテーブルのフレーム構造に関する。
【背景技術】
【０００２】
従来、会議等に利用されるテーブルには、天板を支持する左右一対の脚が設けられている。脚は脚本体部と、これを支持する足部とから構成されている。この脚本体部には天板を直接支持する天板支持部と、この天板支持部を支持する２つの筒状部材を有する縦脚部から成っている（例えば、特許文献１参照）。
【０００３】
天板支持部は前後に、長い天板支持要素と短い天板支持要素を有し、両天板支持要素の対向する互いの端部にはそれぞれ凸部と孔が併設されている。そこで、一方の天板支持要素の凸部と孔が、他方の天板支持要素の孔と凸部に互いに嵌合して位置決めされ、さらに、両端部が連結部材を用いて締結された後、各天板支持要素をそれぞれ筒状部材に螺着して天板支持要素を縦脚部に取り付けている。
【０００４】
【特許文献１】特開２００２−１７７０５４号公報（段落００１０〜１６、図１，図４）
【発明の開示】
【発明が解決しようとする課題】
【０００５】
しかしながら、特許文献１にあっては、前後の天板支持要素はその当接端面に設けた凸部および孔による嵌合であるため、天板支持要素の先端部に荷重が掛かると外れやすく、これを防ぐために連結部材を必要とした。また、各天板支持要素を縦脚部に取り付けるために２つの筒状部材を用意する必要があり、部品点数の増加が避けられなかった。
【０００６】
本発明は、このような問題点に着目してなされたもので、脚体に設けた天板を支持する前後の支持杆を、特殊な部品等を介在させることなく一つの脚体に容易に支持でき、かつ前後の支持杆が天板上方からの荷重を受けても天板を安定して支持可能な撓みにくいテーブルのフレーム構造を提供することを目的とする。
【課題を解決するための手段】
【０００７】
上記課題を解決するために、本発明の請求項１に記載のテーブルのフレーム構造は、天板と、該天板を支持する少なくとも左右一対の脚体とからなるテーブルにおいて、前記天板を支持するためのテーブルのフレーム構造であって、前記天板は、前記脚体に設けられた前後方向を向く支持フレームによって支持され、該支持フレームは、独立した前後の支持杆から構成され、該両支持杆を前後方向に対向させた際に、前記前方の支持杆は左右方向の一方側から後方に延びる突起を有し、前記後方の支持杆は左右方向の他方側から前方に延びる突起を有し、前記両突起を互いに相対回動不能に取り付けることによって、前記両支持杆を位置決めした状態で、前記脚体に固着することを特徴としている。
この特徴によれば、両突起同士を互いに相対回動不能に取り付けて、両支持杆を脚体に固着したことで、両支持杆は天板の荷重に対しても、常に天板を安定して支持可能な撓みにくいフレーム構造となる。さらに、支持フレームを前後の支持杆で構成したことで、例えば、前後幅が異なる天板の場合であっても、長さの異なる支持杆を選定することで柔軟に対応できる。
【０００８】
本発明の請求項２に記載のテーブルのフレーム構造は、請求項１に記載のテーブルのフレーム構造であって、前記両突起のいずれか一方の突起に少なくとも上下に２つの左右方向に向くピンを設けるとともに、他方の突起に嵌合孔を形成し、前記ピンと嵌合孔を嵌合し、前記両突起を互いに相対回動不能に取り付けたことを特徴としている。
この特徴によれば、一方の支持杆の突起に少なくとも上下に２つピンが設けられたことで、ピンと嵌合孔の嵌合により他方の支持杆とのピン回りの相対回動が確実に防止され、撓みにくいフレーム構造となる。
【０００９】
本発明の請求項３に記載のテーブルのフレーム構造は、請求項１または２に記載のテーブルのフレーム構造であって、前記突起は、前記前方の支持杆の後端部と、前記後方の支持杆の前端部とから一体に突出したものであることを特徴としている。
この特徴によれば、突起が支持杆の端部から一体に突出したものであるから、支持強度に優れ、しかも引き抜き等により容易に加工できる。
【００１０】
本発明の請求項４に記載のテーブルのフレーム構造は、請求項１乃至３のいずれかに記載のテーブルのフレーム構造であって、前記各突起の先端面は、対向する相手側の支持杆の先端面と当接した状態で位置決めされ前記脚体へ固着されることを特徴としている。
この特徴によれば、前記ピンと嵌合孔の嵌合時に、各突起の先端面が相手側の支持杆の先端面と当接した状態で位置決めして脚体へ固着するので、支持杆同士の一体化が図れ、両支持杆の撓みがより防止され、安定した天板の支持強度が得られる。
【００１１】
本発明の請求項５に記載のテーブルのフレーム構造は、請求項１乃至４のいずれかに記載のテーブルのフレーム構造であって、前記脚体は、ベース脚と、該ベース脚から上方に延出した支柱とからなり、前記両支持杆の各々を、前記支柱に上方から螺着したことを特徴としている。
この特徴によれば、両支持杆がそれぞれ支柱に上方から螺着されるので、両支持杆と支柱とを連結のためにＬ字アングル等の新たな取付部材を用いて支柱の上部を傷めることが回避され、支柱強度を弱めることなく容易に螺着することができる。しかも螺着部が天板によって隠れるので、支柱と両支持杆の連結箇所が外部から遮蔽され見栄えも良い。
【００１２】
本発明の請求項６に記載のテーブルのフレーム構造は、請求項５に記載のテーブルのフレーム構造であって、前記各支持杆が前記支柱に螺着されるためのネジ用貫通孔を、前記各支持杆の左右幅方向の範囲内と、左右側端部から外方に突設した突出部との２カ所に少なくとも穿設したことを特徴としている。
この特徴によれば、各支持杆の左右幅から突設した突出部にもネジ用貫通孔を設けたことにより、各支持杆の左右幅内だけにネジ用貫通孔のみを設けるよりも、各支持杆の支持強度の低下を回避することができ、しかも、突出部に必要であればネジ孔を増やして一層の連結強度向上を図ることができる。
【発明を実施するための最良の形態】
【００１３】
本発明の実施例を以下に説明する。
【実施例】
【００１４】
図１は、本発明の実施例におけるフレーム構造を用いたテーブルの全体像を示す斜視図であり、図２は、テーブルの分解組立斜視図であり、図３は、フレーム構造を構成する支持フレーム（前後の支持杆）および取付具と、脚体を構成する一対のベース脚および支柱を示す要部拡大分解斜視図であり、図４（ａ）は、前後の支持杆のピンと嵌合孔の嵌合による両支持杆の連結過程を示す平面図であり、図４（ｂ）は、連結された両支持杆の突出部を支柱に螺着する状態を示す平面図であり、図４（ｃ）は、さらに両支持杆の左右幅方向の範囲内で支柱と螺着する状態を示す平面図であり、図５（ａ）は、テーブルのフレーム構造を示す一部破断平面図であり、図５（ｂ）は、テーブルの全体像を示す平面図であり、図６は、図５（ｂ）の矢視Ａ−Ａ線から見た天板および支持杆、支柱、取付具、連結杆の連結構造の概略側面図である。以下、本実施例の説明において、図１に示されたテーブル１に対面した状態で見て、テーブル１の手前側を前方とし、テーブル１の奥行き側を後方とし、左手側を左方、右手側を右方として説明する。
【００１５】
図１および図２に示されるように、テーブル１は、主に上面視横長矩形状に形成された天板２と、この天板２の長手方向を支持すべく前後に対向して左右方向に向けて延設された一対の連結フレーム１９，２０および天板２の左右両端側部を支持すべく左右に対向して前後方向に向く一対の支持杆９，１０から構成される左右の支持フレーム８，８から成るフレーム構造と、この支持フレーム８，８が連結される左右の支柱３，３および該支柱３，３の下部に連結され床面６０に設置された前後方向を向く一対のベース脚５，６から成る脚体４，４と、左右の支持杆９，１０の中間の対向面側に天板を支持する一対の取付具４０，４１と、両取付具４０，４１に掛け渡される左右長手方向に延びる連結杆３５と、から構成され、例えば、企業の会議室や図書館、学校等の教室にて利用可能になっている。
【００１６】
連結フレーム１９，２０と支持杆９，１０とは、前方側に配置の左右の支持杆９，９の前端に連結フレーム１９が連結されるとともに、後方側に配置の左右の支持杆１０，１０の後端に連結フレーム２０が連結されることで、上面視横長矩形状のフレームが構成され、このフレーム構造および取付具４０，４１と連結杆３５を介して天板２が脚体４，４に支持される構成になっている。尚、本実施例において、連結フレーム１９，２０および支持フレーム８（支持杆９，１０）、そして支柱３，３およびベース脚５，６はアルミ合金で成型されていることから、軽量で持ち運べ易く且つ強度的にも優れているが、本発明はこれに限定されるものではなく、例えば、これらの部材を他の材質として強度のある硬質のプラスチック材を用いて成型しても良い。
【００１７】
後述において説明するが、予め支持杆９，１０は支柱３の上端から下方に向けてボルトで連結固定されており、同様に特に図示しないが、ベース脚５，６は支柱３の下端から上方に向けてボルトで連結固定されたことで、フレーム構造の一部である支持杆９，１０と、脚体４，４でも側面視エ字状に一体化されている。また、連結フレーム１９，２０の左右端部には、ＡＢＳ樹脂材からなるカバー部材３０が各々取り付け可能になっている。
【００１８】
次に、支持フレーム８を構成する支持杆９，１０と支柱３、取付具４０，４１および連結杆３５について具体的に説明するが、本実施例においては天板２を支持する構造が左右対称の同一構造のため、天板２の左側下面を支持する支持フレーム８および脚体４を中心に以下に説明する。
【００１９】
図３に示されるように、前後のベース脚５，６の接合箇所の上部には、支柱３が上方に延出するように設けられ、支柱３の上端３ｃの左側にはネジ穴３ａ，３ａ’が前後位置に上下方向に形成され、右側にも同様にネジ穴３ｂ，３ｂ’が前後に形成されている。支持杆９，１０のフラットに形成された上面１１，１２には、それぞれ前後方向に所定間隔で上方を向く複数の開口が形成されると共に、この開口内に複数の補強用１１ａ，リブ１２ａが形成されている。支持杆９の後端部の左右方向の一方側（本実施例では右側）は下方に切り欠かれた切欠部１１ｂが形成され、その切り欠かれた後端側に、後端部の後端面９ｅよりも後方に向けて、一体で突出された突起９ａが形成されており、この突起９ａの左側面の上下位置に嵌合孔９ｂ，９ｂが一対凹設されている。
【００２０】
支持杆１０の前端部の右側略半分は下方に切り欠かれた切欠部１２ｂが形成され、切り欠かれていない他方側（本実施例では左側）に、切り欠かれた前端部の前端面１０ｄよりも前方に向けて、一体で突出された突起１０ａが形成されており、この突起１０ａの下方の上下位置に右方に向くピン１０ｂ，１０ｂが一対で突設されている。尚、ピン１０ｂ，１０ｂの形成箇所は前述の嵌合孔９ｂ，９ｂに嵌合可能な位置となっている（図４参照）。
【００２１】
次に、取付具４０には、フラットに形成された上面４２から下方に向けて貫通するボルト孔４４が前後左右に４箇所で穿設されるとともに、取付具４０の左方上部には、取付具４０の嵌合突部４６が左方に向けて突設され、前後位置に同型のネジ用貫通孔４３、４３’が上下方向に貫通して形成されている。嵌合突部４６は支持杆９，１０の切欠部１１ｂ，１２ｂに載置可能となっており、嵌合突部４６の前後幅の長さは、切欠部１１ｂ，１２ｂの前後の長さの和と略同じである。連結杆３５の左端部３６は取付具４０にボルト等で連結され、同様に特に図示しないが取付具４１に連結杆３５の右端部３５が連結される（図５参照）。
【００２２】
図４に示されるように、支持杆９の後端部の左側面には、左方に突設する突出部１３が設けられ、上下方向にネジ用貫通孔１３ａが穿設され、このネジ用貫通孔１３ａの右方位置の後端部上面１１（支持杆９の左右幅方向の範囲内にある）に同形のネジ用貫通孔９ｆが穿設されている。切欠部１１ｂにはネジ穴１１ｃが形成されている。支持杆１０の突起１０ａの左側面にも、左方に突設する突出部１４が設けられ、上下方向にネジ用貫通孔１４ａが穿設され、このネジ用貫通孔１４ａの右方位置の前端部上面１２（支持杆１０の左右幅方向の範囲内にある）同形のネジ用貫通孔１０ｆが穿設されている。切欠部１２ｂにはネジ穴１２ｃが形成されている。
【００２３】
次に、前後の支持杆９，１０と支柱３との連結過程について説明する。まず、図４（ａ）に示されるように、支持杆１０のピン１０ｂを支持杆９の嵌合孔９ｂに左方から右方に向けて嵌合する。次いで、図４（ｂ）に示されるように、嵌合孔９ｂにピン１０ｂが嵌合されたことで、両者の連結位置が位置決めされ、支持杆１０の前端面１０ｄが突起９ａの先端面と、支持杆９の後端面９ｅが突起１０ａの先端面と互いに当接係合され、それぞれの切欠部１１ｂ，１２ｂも前後で連結される。そして、支持杆９の上面１１と支持杆１０の上面１２とが面一で整合され前後の支持杆９，１０が前後方向に向く支持フレーム８として一体化される。
【００２４】
そこで、支柱３の上端３ｃに両支持杆９，１０のネジ用貫通孔１３ａおよびをネジ用貫通孔１４ａをネジ穴３ａとネジ穴３ａ’と同位置で重ね合わせて載置し、一対のボルト５４，５４を各々に対応するネジ用貫通孔１３ａ，１４ａを介してネジ穴３ａ，３ａ’に螺合し、突出部１３，１４を支柱３に締結する。同様に、上面１１，１２のネジ用貫通孔９ｆ，１０ｆも一対のボルト５５，５５でネジ穴３ｂ，３ｂ’に螺合して支柱３に締結することで、支持杆９および支持杆１０がそれぞれ支柱３の左右２箇所で連結される。
【００２５】
このように、各支持杆９，１０の左右幅から突設した突出部１３，１４にもネジ用貫通孔１３ａ，１４ａを設けたことにより、各支持杆９，１０の左右幅内だけにネジ用貫通孔９ｆ，１０ｆのみを設けるよりも、支持杆９，１０の支持強度の低下を回避することができ、しかも、突出部１３，１４に必要であれば、さらに新たなネジ孔を増やして一層の連結強度の向上を図ることもできる。
【００２６】
さらに、両支持杆９，１０がそれぞれ支柱３に上方からボルト５４，５５のみで直に螺着されるので、両支持杆９，１０と支柱３とを連結のためにＬ字アングル等の新たな取付部材を用いて支柱３の上部を傷めることが回避され、支柱強度を弱めることなく容易に螺着することができる。
【００２７】
そして、支持杆９，１０同士が互いに上下２箇所の嵌合孔９ｂおよびピン１０ｂの嵌合で連結されることから、ピン１０ｂを備えた一方の支持杆１０と、嵌合孔９ｂが形成された他方の支持杆９とのピン回りの相対回動が防止されるので、両支持杆１０，９は天板２の荷重に対しても、常に天板２を安定して支持可能な撓みにくく、互いの左右にブレにくいフレーム構造となり、より強力な連結が構築される。
【００２８】
しかも、突起９ａおよび突起１０ａはそれぞれの支持杆９の後端部および支持杆１０の前端部から一体で突出して形成されているので支持強度に優れ、しかも引き抜き等により容易に加工できる。そして各突起の先端面は、対向する相手側の支持杆の先端面と当接した状態で位置決めされて脚体へ固着できるので、支持杆同士の一体化が図れる。さらに、支持フレーム８を前後の支持杆９，１０で構成したことで、例えば、前後幅が異なる天板の場合であっても、長さの異なる支持杆を選定することで柔軟に対応できる。尚、突出部１３，１４の上部には、遮蔽するＡＢＳ樹脂製の蓋材１５を取付可能になっており、ボルト５４の上部を外部から遮蔽することができる。
【００２９】
次に、図５（ａ）に示されるように、支持杆９，９の左右の前端部９ｄ，９ｄには、それぞれ左右一対のボルト５０，５０で前方の連結フレーム１９が締結され、同じく支持杆１０，１０の左右の後端部１０ｅ，１０ｅには、それぞれ左右一対のボルト５０、５０で後方の連結フレーム２０が締結され、天板２を支持する矩形のフレーム枠が構成される。
【００３０】
ボルト等で取り付けられた連結杆３５を備えた取付具４０，４１を取り付けるには、前後左右の支持杆９，１０の上方から、左右の支持杆９，１０の前後中央に位置する切欠部１１ｂ，１２ｂに、取付具４０，４１の嵌合突部４６，４６を嵌合し仮固定する。この時、切欠部１１ｂ，１２ｂに形成されたネジ穴１１ｃ，１２ｃと、嵌合突部４６，４６の前後に形成されたネジ用貫通孔４３，４３’が上下位置で重ね合わされる。
【００３１】
そして、ボルト５２，５２を嵌合突部４６，４６の前後に形成されたネジ用貫通孔４３，４３’に向けて上方より挿通し、ネジ穴１１ｃ，１２ｃに螺合することで、取付具４０，４１がそれぞれ前後の支持杆９，１０の連結箇所の上部に連結される。尚、この取り付けによって取付具４０，４１および連結杆３５も、左右の支持杆９，１０および前後の連結フレーム１９，２０から構成されるフレーム構造の一部となるとともに、連結フレーム１９，２０、支持杆９，１０、取付具４０，４１および連結杆３５の上面は全て同一高さになるように構成されている。
【００３２】
つまり、図５（ｂ）および図６に示されるように、支持杆９，１０および連結フレーム１９，２０、そして取付具４０，４１および連結杆３５の上面が同じ高さで面一となり、これら部材に天板２を載置した際に、天板２との間に隙間を生じさせずに外部からの体裁もよく、これら部材の上面で天板２の下面が安定して支持されガタツキも生じさせない。
【００３３】
次いで、天板２を支持杆９，１０および連結フレーム１９，２０と、取付具４０，４１および連結杆３５の上面に載置した後、連結フレーム１９，２０の左右端部および、必要であればそのその中間部に形成された上下に貫通する貫通孔２３ａ，２３ａに、ボルト５１を貫通孔２３ａ，２３ａの下方から上方に向けて貫通させ、天板２の下面に形成された特に図示しないボルト穴にねじ込むことで天板２が止着される。
【００３４】
さらに、図６に示すように、左右の取付具４０，４１の下方からボルト孔４４に向けて、ボルト５３を上方に向けて貫通し、天板２の下面に予め形成されたボルト穴２ａに螺合することで天板２を止着する。必要であれば支持杆９，１０の下方からもボルトで止着してフレーム枠体に天板２を強固に止着することができる。このように、左右の支持杆９，１０からそれぞれの対向面側に突設した取付具４０，４１に天板２が止着されたことで、天板２の前後中間位置の撓みが確実に防止される。特に天板２の前後寸法を大とした場合において、取付具４０，４１を支持杆９，１０の前後中間位置に設けて止着した場合には、天板２の中央部での撓みが、連結杆３５と共により効果的に防止される。
【００３５】
また、支柱３の上端３ｃの左側と突出部１３との締結に用いられたボルト５４の頭部は、蓋材１５に覆われたことで遮蔽され、支柱３の上端３ｃの右側と支持杆９、１０との締結に用いられたボルト５５の頭部は天板２によって遮蔽され、支持杆９、１０と取付具４０との締結に用いられたボルト５２の頭部も天板２によって遮蔽されて、取付具４０と天板２の締結に用いられたボルト５３の頭部は、取付具４０の内部に配置されることで遮蔽されている。このように、各部材のボルト連結箇所が外部から遮蔽された構造となっており、テーブル１の外部からの見栄えの向上が図られている（図１参照）。
【００３６】
以上の説明により本実施例においては、脚体４の一部を構成する支柱３に対して、支持杆９，１０を特殊な部品等を介在させることなく、ボルト５４，５５のみで直接取り付けることができるとともに、ボルト５４，５５を支持杆９，１０の上方から支柱３に向けて取り付けることができるテーブル１のフレーム構造となっている。
【００３７】
以上、本発明の実施例を図面により説明してきたが、具体的な構成はこれら実施例に限られるものではなく、本発明の要旨を逸脱しない範囲における変更や追加があっても本発明に含まれ、例えば上記実施例では、支持杆９，１０から一体で突起９ａ，１０ａが突出されたことで、それぞれの支持杆９，１０を引き抜き等で一体にして成型できることから好ましいが、本発明はこれに限定されるものではなく、突起９ａ，１０ａを別個に支持杆９の後端部９ｅおよび前端部１０ｄに設けても良く、熱（レーザー）溶接等で溶着すれば、一体成型とほぼ変わらない支持強度を得られる。
【００３８】
また、上記実施例では、支持杆１０のピン１０ｂの数を上下２個としたことで、ピン回りの相対回動が確実に防止されることから好ましいが、ピン１０ｂが２個以上あっても良いことは言うまでもなく、本発明はこれに限定されず、前記両突起９ａ，１０ａを互いに相対回動不能に取り付けることが可能であれば他の構成でも良く、例えば、ピンの形状を多角形状とすることで、１つのピンであってもピン回りの相対回動を防止することができる。
【図面の簡単な説明】
【００３９】
【図１】本発明の実施例におけるフレーム構造を用いたテーブルの全体像を示す斜視図である。
【図２】テーブルの分解組立斜視図である。
【図３】フレーム構造を構成する支持フレーム（前後の支持杆）および取付具と、脚体を構成する一対のベース脚および支柱を示す要部拡大分解斜視図である。
【図４】（ａ）は、前後の支持杆のピンと嵌合孔の嵌合による両支持杆の連結過程を示す平面図であり、（ｂ）は、連結された両支持杆の突出部を支柱に螺着する状態を示す平面図であり、（ｃ）は、さらに両支持杆の左右幅方向の範囲内で支柱と螺着する状態を示す平面図である。
【図５】（ａ）は、テーブルのフレーム構造を示す一部破断平面図であり、（ｂ）は、テーブルの全体像を示す平面図である。
【図６】図５（ｂ）の矢視Ａ−Ａ線から見た天板および支持杆、支柱、取付具、連結杆の連結構造を示すの概略側面図である。
【符号の説明】
【００４０】
１                  テーブル
２                  天板
２ａ                ボルト穴
２ｂ                下面
３                  支柱（脚体の一部）
３ａ、３ａ’        ネジ穴
３ｂ、３ｂ’        ネジ穴
３ｃ                上端
４                  脚体
５、６              ベース脚（脚体の一部）
８                  支持フレーム
９、１０            前後の支持杆（支持フレーム）
９ａ、１０ａ        突起
９ｂ                嵌合孔
１０ｂ              ピン
９ｄ、１０ｄ        前端部
９ｅ、１０ｅ        後端部
９ｆ、１０ｆ        ネジ用貫通孔
１１、１２          上面
１１ａ、１２ａ      リブ
１１ｂ、１２ｂ      切欠部
１１ｃ、１２ｃ      ネジ穴
１３、１４          突出部
１３ａ、１４ａ      ネジ用貫通孔
１５                蓋材
１９、２０          連結フレーム
２３ａ              貫通孔
２４                下面
３０                カバー部材
３５                連結杆
３５ａ              上面
３６、３７          端部
４０、４１          取付具
４２                上面
４３、４３’        ネジ用貫通孔
４４                ボルト孔
４６                嵌合突部（取付部）
５０、５１、５２    ボルト
５３、５４、５５    ボルト
５９                六角レンチ
６０                床面
【図１】
0004594211.tif 000002
【図２】
0004594211.tif 000003
【図３】
0004594211.tif 000004
【図４】
0004594211.tif 000005
【図５】
0004594211.tif 000006
【図６】
0004594211.tif 000007